(57)【特許請求の範囲】
【請求項１】
リモコン、当該リモコンを着脱可能に保持する保持具、及び当該リモコンと通信する便器装置を含むトイレシステムであって、
利用者の状態を検知する検知部と、
前記リモコンが前記保持具に装着中であるか否かを判定する第１判定部と、
前記検知部による検知結果に基づいて、前記便器装置の使用終了に相当する第１状態変化を判定する第２判定部と、
前記第２判定部により前記第１状態変化が判定された際に、前記第１判定部により前記リモコンが前記保持具に装着中でないと判定された場合、前記リモコンが前記保持具から外されていることを示す出力を行う制御部と、を備えるトイレシステム。
【請求項２】
リモコン、当該リモコンを着脱可能に保持する保持具、及び当該リモコンと通信する便器装置を含むトイレシステムであって、
利用者の状態を検知する検知部と、
前記リモコンが前記保持具に装着中であるか否かを判定する第１判定部と、
前記検知部による検知結果に基づいて、前記便器装置の使用開始に相当する第２状態変化を判定する第３判定部と、
前記第３判定部により前記第２状態変化が判定された際に、前記第１判定部により前記リモコンが前記保持具に装着中でないと判定された場合、前記リモコンが前記保持具から外されていることを示す出力を行う制御部と、を備えるトイレシステム。
【請求項３】
リモコン、当該リモコンを着脱可能に保持する保持具、及び当該リモコンと通信する便器装置を含むトイレシステムであって、
利用者の状態を検知する検知部と、
前記リモコンが前記保持具に装着中であるか否かを判定する第１判定部と、
前記検知部により前記便器装置の使用中に相当する状態が検知されている間に、前記第１判定部により前記リモコンが前記保持具から外されたと判定された場合、便座ヒータの出力を変化させる制御部と、を備えるトイレシステム。
【請求項４】
リモコン、当該リモコンを着脱可能に保持する保持具、及び当該リモコンと通信する便器装置を含むトイレシステムであって、
利用者の状態を検知する検知部と、
前記リモコンが前記保持具に装着中であるか否かを判定する第１判定部と、
前記第１判定部により前記リモコンが前記保持具から外されたと判定された際に、前記検知部により前記便器装置の未使用に相当する状態が検知された場合、前記便器装置を使用状態へ遷移させる制御を行う制御部と、を備えるトイレシステム。
【請求項５】
リモコン、当該リモコンを着脱可能に保持する保持具、及び当該リモコンと通信する便器装置を含むトイレシステムであって、
利用者の状態を検知する検知部と、
前記リモコンが前記保持具に装着中であるか否かを判定する第１判定部と、
前記検知部による検知結果に基づいて、前記便器装置の使用開始に相当する第２状態変化を判定する第３判定部と、
前記第３判定部により前記第２状態変化が判定された際に、前記第１判定部により前記リモコンが前記保持具に装着中であると判定された場合、前記リモコンが前記保持具に装着中であることを示す出力を行う制御部と、を備えるトイレシステム。
【請求項６】
リモコン、当該リモコンを着脱可能に保持する保持具、及び当該リモコンと通信する便器装置を含むトイレシステムであって、
利用者の状態を検知する検知部と、
前記便器装置から前記リモコンへの所定のタイミングでの問い合わせに応じて、前記リモコンが前記保持具に装着中であるか否かを判定する第１判定部と、
前記状態の種類、及び前記第１判定部による判定結果に対応した制御を行う制御部と、を備え、
前記制御部は、前記問い合わせに対する前記リモコンからの応答がない場合、前記リモコンが前記保持具に装着中でないとみなして前記制御を行うトイレシステム。
【請求項７】
前記第１判定部は、前記リモコンが充電中であるか否かに基づいて、当該リモコンが前記保持具に装着中であるか否かを判定する請求項１から請求項６のいずれかに記載のトイレシステム。
【発明の詳細な説明】
【技術分野】
【０００１】
本発明は、着脱式のリモコンを有するトイレシステムに関する。
【背景技術】
【０００２】
従来、トイレユニットには、ヒータ及びシャワー等の各種機能が付加されている。そして、これらの機能を利用又は設定するためのリモコンがトイレルームの壁等に設置されることも多い。
【０００３】
着脱可能なリモコンに関しては、例えば、保持具に装着されているか否かで発光手段を切り替える技術（特許文献１参照）が提案されている。
【先行技術文献】
【特許文献】
【０００４】
【特許文献１】特開２０１１−８４８６７号公報
【発明の概要】
【発明が解決しようとする課題】
【０００５】
しかしながら、リモコンが保持具に装着されているか否かを判別できることの利点は十分に活用されておらず、また、使用状況によって、例えば充電式のリモコンでは充電切れ等の不都合が生じる場合もあった。このように、着脱式のリモコンの利便性は十分ではなかった。
【０００６】
本発明は、着脱式のリモコンを使用した場合の利便性が向上するトイレシステムを提供することを目的とする。
【課題を解決するための手段】
【０００７】
本発明に係るトイレシステムは、リモコン、当該リモコンを着脱可能に保持する保持具、及び当該リモコンと通信する便器装置を含むトイレシステムであって、利用者の状態を検知する検知部と、前記リモコンが前記保持具に装着中であるか否かを判定する第１判定部と、前記状態の種類、及び前記第１判定部による判定結果に対応した制御を行う制御部と、を備える。
【０００８】
前記トイレシステムは、前記検知部による検知結果に基づいて、前記便器装置の使用終了に相当する第１状態変化を判定する第２判定部を備え、前記制御部は、前記第２判定部により前記第１状態変化が判定された際に、前記第１判定部により前記リモコンが前記保持具に装着中でないと判定された場合、前記リモコンが前記保持具から外されていることを示す出力を行ってもよい。
【０００９】
前記トイレシステムは、前記検知部による検知結果に基づいて、前記便器装置の使用開始に相当する第２状態変化を判定する第３判定部を備え、前記制御部は、前記第３判定部により前記第２状態変化が判定された際に、前記第１判定部により前記リモコンが前記保持具に装着中でないと判定された場合、前記リモコンが前記保持具から外されていることを示す出力を行ってもよい。
【００１０】
前記制御部は、前記検知部により前記便器装置の使用中に相当する状態が検知されている間に、前記第１判定部により前記リモコンが前記保持具から外されたと判定された場合、便座ヒータの出力を変化させてもよい。
【００１１】
前記制御部は、前記第１判定部により前記リモコンが前記保持具から外されたと判定された際に、前記検知部により前記便器装置の未使用に相当する状態が検知された場合、前記便器装置を使用状態へ遷移させる制御を行ってもよい。
【００１２】
前記トイレシステムは、前記検知部による検知結果に基づいて、前記便器装置の使用開始に相当する第２状態変化を判定する第３判定部を備え、前記制御部は、前記第３判定部により前記第２状態変化が判定された際に、前記第１判定部により前記リモコンが前記保持具に装着中であると判定された場合、前記リモコンが前記保持具に装着中であることを示す出力を行ってもよい。
【００１３】
前記トイレシステムは、前記状態の種類及び前記判定結果と、前記制御の内容との対応付けが規定された制御モードを、複数のモードから選択的に切り替える切替部を備えてもよい。
【００１４】
前記第１判定部は、前記便器装置から前記リモコンへの所定のタイミングでの問い合わせに応じて判定してもよい。
【００１５】
前記制御部は、前記問い合わせに対する前記リモコンからの応答がない場合、前記リモコンが前記保持具に装着中でないとみなして前記制御を行ってもよい。
【００１６】
前記第１判定部は、前記リモコンが充電中であるか否かに基づいて、当該リモコンが前記保持具に装着中であるか否かを判定してもよい。
【発明の効果】
【００１７】
本発明によれば、着脱式のリモコンを使用した場合のトイレシステムの利便性が向上する。
【図面の簡単な説明】
【００１８】
【図１】第１実施形態に係るトイレシステムの機能構成を示すブロック図である。
【図２】第１実施形態に係る制御方法を示すシーケンス図である。
【図３】第２実施形態に係る制御方法を示すシーケンス図である。
【図４】第３実施形態に係る制御方法を示すシーケンス図である。
【図５】第４実施形態に係るトイレシステムの機能構成を示すブロック図である。
【図６】第４実施形態に係る制御方法を示すシーケンス図である。
【図７】第５実施形態に係る制御方法を示すシーケンス図である。
【図８】変形例の機能構成を示す第１のブロック図である。
【図９】変形例の機能構成を示す第２のブロック図である。
【発明を実施するための形態】
【００１９】
＜第１実施形態＞
以下、本発明の第１実施形態について説明する。
図１は、本実施形態に係るトイレシステム１の機能構成を示すブロック図である。
【００２０】
トイレシステム１は、リモコン１０と、リモコン１０を着脱する保持具としての充電器２０と、リモコン１０と通信する便器装置３０とを備える。
リモコン１０は、無線で便器装置３０を操作するための制御信号を送信する機器であり、所定のアプリケーションがインストールされたタブレット端末であってよい。リモコン１０は、充電器２０に装着されることにより充電され使用可能となる。
また、リモコン１０には、複数のアプリケーションがインストールされ、利用者は、トイレルーム内外で、例えばブラウザ、ゲーム等のアプリケーションを実行可能である。
【００２１】
リモコン１０は、充電器２０により充電中であるか否かによってリモコン１０が充電器２０に装着中であるか否かを判定する充電状態判定部１１（第１判定部）を備え、便器装置３０からの要求に応じて判定結果を返信する。
なお、充電状態判定部１１は、充電器２０との電通の有無を検知することによりリモコン１０が充電器２０に装着中であるか否かを判定してもよいし、充電中か否かに関わらず物理的な着脱検知の機構等によりリモコン１０が充電器２０に装着されているか否かを判定してもよい。
【００２２】
便器装置３０は、検知部３１と、使用状態判定部３２（第２判定部）と、制御部３３と、を備える。
検知部３１は、利用者の状態を検知する。状態とは、具体的には、利用者が便座に着座しているか、又は便座から脱座しているかの種類である。検知部３１は、例えば着座センサにより、利用者の着座状態を検知可能である。
なお、検知部３１は、例えば人感センサ等により、利用者が便器装置３０に近付いたことを検知してもよい。
【００２３】
使用状態判定部３２は、検知部３１による検知結果に基づいて、利用者の着座又は脱座の状態の種類の他、利用者が便器装置３０の使用を終えたことに相当する状態変化、すなわち着座から脱座への変化（第１状態変化）を判定する。
【００２４】
制御部３３は、検知部３１により検知された状態の種類に基づく使用状態判定部３２による判定結果、及び充電状態判定部１１による判定結果に対応した制御を行う。
本実施形態では、制御部３３は、使用状態判定部３２により着座から脱座への変化が判定された際に、充電状態判定部１１によりリモコン１０が充電中でないと判定された場合、充電を促す出力を行う。具体的には、制御部３３は、充電器２０から外されていることを示すアラーム音声を便器装置３０から出力、又はリモコン１０へ通知することにより、充電器２０から外されていることを示すアラーム音声の出力若しくはメッセージ表示をリモコン１０から行う。
【００２５】
図２は、本実施形態に係るトイレシステム１による制御方法を示すシーケンス図である。
ステップＳ１において、便器装置３０は、使用状態判定部３２により利用者の状態が着座から脱座へ変化したか否かを判定する。利用者が脱座したと判定された場合（ＮＯ）、処理はステップＳ２に移る。
【００２６】
ステップＳ２において、便器装置３０は、着座から脱座への状態変化から所定時間（例えば、数秒）が経過したか否かを判定する。所定時間が経過した場合（ＹＥＳ）、処理はステップＳ４に移り、まだ所定時間が経過していない場合（ＮＯ）、処理はステップＳ３に移る。
【００２７】
ステップＳ３において、便器装置３０は、使用状態判定部３２により利用者が着座したか否かを判定する。利用者の着座が判定された場合（ＹＥＳ）、処理はステップＳ１に戻り、利用者が脱座したままの場合（ＮＯ）、処理はステップＳ２に戻る。
【００２８】
ステップＳ４において、便器装置３０は、リモコン１０に対して充電状態を問い合わせる。
ステップＳ５において、リモコン１０は、充電状態判定部１１により充電中か否かを判定する。
ステップＳ６において、リモコン１０は、判定結果を便器装置３０へ通知する。
【００２９】
ステップＳ７において、便器装置３０は、判定結果を識別し、リモコン１０が充電中である場合（ＹＥＳ）、処理を終了する。一方、リモコン１０が充電中でない場合（ＮＯ）、処理はステップＳ６に移る。
このとき、制御部３３は、充電状態の問い合わせに対するリモコン１０からの応答がない場合、リモコン１０が充電中でないとみなして制御を行う。
【００３０】
ステップＳ６において、便器装置３０は、リモコン１０へ警告報知のための通知を行う。
ステップＳ７において、リモコン１０は、受信した通知に応じて、アラーム音声又はメッセージ表示等により充電を促す警告出力を行う。
ステップＳ８において、便器装置３０は、アラーム音声等により、充電を促す警告出力を行う。
【００３１】
本実施形態によれば、トイレシステム１は、利用者の着座又は脱座の状態と、リモコン１０の充電状態すなわち充電器２０への着脱状態とに基づいて、対応する制御を行う。これにより、着脱式のリモコン１０を使用した場合のトイレシステム１の利便性が向上する。
より具体的には、利用者が脱座した際に、リモコン１０が充電器２０に装着されていなければ、充電器２０から外されていることを示す警告がリモコン１０又は便器装置３０から出力される。これにより、トイレシステム１は、脱座後の所定のタイミング、例えば所定時間の経過後に充電し忘れを利用者に気付かせ、電池切れを防ぐことができる。この結果、トイレシステム１は、次の利用者がリモコン１０を使用できなくなる事態を防ぐことができる。
なお、警告は、リモコン１０及び便器装置３０の双方から出力されてもよいし、リモコン１０又は便器装置３０のいずれか一方のみから出力されてもよい。
【００３２】
＜第２実施形態＞
以下、本発明の第２実施形態について説明する。
本実施形態は、第１実施形態と同様の機能構成（図１参照）であるが、使用状態判定部３２（第３判定部）の判定対象及び制御部３３による制御実行の条件が異なる。
【００３３】
本実施形態では、検知部３１は、着座センサにより利用者の着座状態を検知するものとして説明するが、この他、例えば人感センサ等により、利用者が便器装置３０に近付いたことを検知してもよい。使用状態判定部３２は、検知部３１による検知結果に基づいて、利用者の着座又は脱座の状態の種類の他、利用者が便器装置３０の使用を始めたことに相当する状態変化、すなわち脱座から着座への変化（第２状態変化）を判定する。
また、制御部３３は、使用状態判定部３２により脱座から着座への変化が判定された際に、充電状態判定部１１によりリモコン１０が充電中でないと判定された場合、充電を促す出力を行う。具体的には、制御部３３は、充電器２０から外されていることを示すアラーム音声を便器装置３０から出力、又はリモコン１０へ通知することにより、充電器２０から外されていることを示すアラーム音声の出力若しくはメッセージ表示を充電器２０から行う。
【００３４】
図３は、本実施形態に係るトイレシステム１による制御方法を示すシーケンス図である。
ステップＳ１１において、便器装置３０は、使用状態判定部３２により利用者の状態が脱座から着座へ変化したか否かを判定する。利用者が着座したと判定された場合（ＹＥＳ）、処理はステップＳ１２に移る。
【００３５】
ステップＳ１２において、便器装置３０は、リモコン１０に対して充電状態を問い合わせる。
ステップＳ１３において、リモコン１０は、充電状態判定部１１により充電中か否かを判定する。
ステップＳ１４において、リモコン１０は、判定結果を便器装置３０へ通知する。
【００３６】
ステップＳ１５において、便器装置３０は、判定結果を識別し、リモコン１０が充電中である場合（ＹＥＳ）、処理を終了する。一方、リモコン１０が充電中でない場合（ＮＯ）、処理はステップＳ１６に移る。
このとき、制御部３３は、充電状態の問い合わせに対するリモコン１０からの応答がない場合、リモコン１０が充電中でないとみなして制御を行う。
【００３７】
ステップＳ１６において、便器装置３０は、リモコン１０へ警告報知のための通知を行う。
ステップＳ１７において、リモコン１０は、受信した通知に応じて、アラーム音声又はメッセージ表示等により充電を促す警告出力を行う。
ステップＳ１８において、便器装置３０は、アラーム音声等により、充電を促す警告出力を行う。
【００３８】
本実施形態によれば、トイレシステム１は、利用者の着座又は脱座の状態と、リモコン１０の充電状態すなわち充電器２０への着脱状態とに基づいて、対応する制御を行う。これにより、着脱式のリモコン１０を使用した場合のトイレシステム１の利便性が向上する。
より具体的には、利用者が着座した際に、リモコン１０が充電器２０に装着されていなければ、充電器２０から外されていることを示す警告がリモコン１０又は便器装置３０から出力される。これにより、トイレシステム１は、トイレが使用されると判定すると即座に、リモコン１０がトイレルームから持ち出されていること、又は充電し忘れを利用者に気付かせ、リモコン１０が使用できない事態を防ぐことができる。
なお、警告は、リモコン１０及び便器装置３０の双方から出力されてもよいし、リモコン１０又は便器装置３０のいずれか一方のみから出力されてもよい。
【００３９】
＜第３実施形態＞
以下、本発明の第３実施形態について説明する。
本実施形態は、第１実施形態と同様の機能構成（図１参照）であるが、制御実行の条件及び制御内容が異なる。
【００４０】
本実施形態では、検知部３１は、着座センサにより利用者の着座状態を検知するものとして説明するが、この他、例えば人感センサ等により、利用者が便器装置３０に近付いたことを検知してもよい。使用状態判定部３２は、検知部３１による検知結果に基づいて、利用者の着座又は脱座の状態の種類の他、利用者が便器装置３０の使用を始めたことに相当する状態変化、すなわち脱座から着座への変化（第２状態変化）を判定する。
また、制御部３３は、検知部３１により着座が検知されている間に、充電状態判定部１１によりリモコン１０が充電中から充電中でない状態へ変化したと判定された場合、便座ヒータの出力を低下させる。
【００４１】
図４は、本実施形態に係るトイレシステム１による制御方法を示すシーケンス図である。
ステップＳ２１において、便器装置３０は、使用状態判定部３２により利用者が着座しているか否かを判定する。利用者が着座していると判定された場合（ＹＥＳ）、処理はステップＳ２２に移る。
【００４２】
ステップＳ２２において、便器装置３０は、リモコン１０に対して充電状態を問い合わせる。
ステップＳ２３において、リモコン１０は、充電状態判定部１１により充電中か否かを判定する。
ステップＳ２４において、リモコン１０は、判定結果を便器装置３０へ通知する。
【００４３】
ステップＳ２５において、便器装置３０は、判定結果を識別し、リモコン１０が充電中である場合（ＹＥＳ）、処理はステップＳ１に移る。一方、リモコン１０が充電中でない場合（ＮＯ）、処理はステップＳ２６に移る。
【００４４】
ステップＳ２６において、便器装置３０は、便座ヒータの出力を低下させ、便座の温度を下げる。便器装置３０は、便座ヒータの出力を切ってもよい。
【００４５】
なお、制御部３３は、使用状態判定部３２により脱座から着座への変化が判定された後、リモコン１０へ充電状態を所定周期で問い合わせてよい。
あるいは、リモコン１０は、自発的に充電状態が充電中から非充電に変化したことを便器装置３０へ通知してもよく、この場合、制御部３３は、リモコン１０へ問い合わせることなくリモコン１０からの通知を待機してもよい。これにより、トイレシステム１は、問い合わせが繰り返されることによる通信の増大を抑制し、効率的に制御を行える。
【００４６】
本実施形態によれば、トイレシステム１は、利用者の着座又は脱座の状態と、リモコン１０の充電状態すなわち充電器２０への着脱状態とに基づいて、対応する制御を行う。これにより、着脱式のリモコン１０を使用した場合のトイレシステム１の利便性が向上する。
より具体的には、利用者が着座中に、リモコン１０が充電器２０から外されると、便器装置３０の便座温度が下がる。これにより、トイレシステム１は、利用者がリモコン１０を、アプリケーションを実行する等の理由により充電器２０から外すと、長時間の利用に適した快適な状態に制御でき、電力消費も抑制できる。
【００４７】
＜第４実施形態＞
以下、本発明の第４実施形態について説明する。
図５は、本実施形態に係るトイレシステム１の機能構成を示すブロック図である。
なお、第１実施形態（図１）と対応する同様の構成については、同一の符号を付し、説明を省略又は簡略化する。
【００４８】
リモコン１０の充電状態判定部１１は、便器装置３０からの問い合わせを受信することなく、充電中から非充電へ変化、又は非充電から充電中へ変化した際に、便器装置３０の制御部３３へ、充電状態の変化を通知する。
【００４９】
検知部３１は、着座センサにより利用者の着座状態を検知するものとして説明するが、この他、例えば人感センサ等により、利用者が便器装置３０に近付いたことを検知してもよい。使用状態判定部３２は、検知部３１による検知結果に基づいて、利用者の着座又は脱座の状態の種類を判定する。
制御部３３は、充電状態判定部１１によりリモコン１０が充電中から充電中でない状態へ変化したと判定された際に、使用状態判定部３２により脱座と判定されている場合、便器装置３０を使用状態へ遷移させる制御を行う。
使用状態とは、例えば、便フタを開ける、便座及びシャワー用の温水を温める、脱臭を開始する、ライトを点ける、音楽再生を開始する等を含む。
【００５０】
図６は、本実施形態に係るトイレシステム１による制御方法を示すシーケンス図である。
ステップＳ３１において、リモコン１０は、充電状態判定部１１により充電中から非充電の状態へ変化したか否かを判定する。非充電に変化したと判定された場合（ＹＥＳ）、処理はステップＳ３２に移る。
ステップＳ３２において、リモコン１０は、非充電に変化したという判定結果を便器装置３０へ通知する。
【００５１】
ステップＳ３３において、便器装置３０は、使用状態判定部３２により利用者が着座しているか否かを判定する。利用者が着座していると判定された場合（ＹＥＳ）、処理は終了する。一方、利用者の脱座が判定された場合（ＮＯ）、処理はステップＳ３４に移る。
【００５２】
ステップＳ３４において、便器装置３０は、利用者のための使用状態へ遷移させる制御を行う。
【００５３】
本実施形態によれば、トイレシステム１は、利用者の着座又は脱座の状態と、リモコン１０の充電状態すなわち充電器２０への着脱状態とに基づいて、対応する制御を行う。これにより、着脱式のリモコン１０を使用した場合のトイレシステム１の利便性が向上する。
より具体的には、利用者が脱座中に、便器装置３０の後壁等、着座中に操作できない場所に設置されている充電器２０からリモコン１０が外されると、便器装置３０が使用状態に遷移する。これにより、トイレシステム１は、使用前にリモコン１０を充電器２０から外す必要がある場合、この外す動作に応じて便器装置３０を使用状態にできるため、人感センサを利用することなく、より効率的に利便性を向上できる。
【００５４】
＜第５実施形態＞
以下、本発明の第４実施形態について説明する。
本実施形態は、第１実施形態と同様の機能構成（図１参照）であるが、使用状態判定部３２（第３判定部）の判定対象及び制御部３３による制御実行の条件及び制御内容が異なる。
【００５５】
本実施形態では、検知部３１は、着座センサにより利用者の着座状態を検知するものとして説明するが、この他、例えば人感センサ等により、利用者が便器装置３０に近付いたことを検知してもよい。使用状態判定部３２は、検知部３１による検知結果に基づいて、利用者の着座又は脱座の状態の種類の他、利用者が便器装置３０の使用を始めたことに相当する状態変化、すなわち脱座から着座への変化（第２状態変化）を判定する。
また、制御部３３は、使用状態判定部３２により脱座から着座への変化が判定された際に、充電状態判定部１１によりリモコン１０が充電中であると判定された場合、リモコン１０の取り外しを促す出力を行う。具体的には、制御部３３は、リモコン１０が充電器２０に装着されていることを示すアラーム音声を便器装置３０から出力、又はリモコン１０へ通知することにより、充電器２０に装着されていることを示すアラーム音声の出力を充電器２０から行う。
【００５６】
図７は、本実施形態に係るトイレシステム１による制御方法を示すシーケンス図である。
ステップＳ４１において、便器装置３０は、使用状態判定部３２により利用者の状態が脱座から着座へ変化したか否かを判定する。利用者が着座したと判定された場合（ＹＥＳ）、処理はステップＳ４２に移る。
【００５７】
ステップＳ４２において、便器装置３０は、リモコン１０に対して充電状態を問い合わせる。
ステップＳ４３において、リモコン１０は、充電状態判定部１１により充電中か否かを判定する。
ステップＳ４４において、リモコン１０は、判定結果を便器装置３０へ通知する。
【００５８】
ステップＳ４５において、便器装置３０は、判定結果を識別し、リモコン１０が充電中である場合（ＹＥＳ）、処理はステップＳ３６に移る。一方、リモコン１０が充電中でない場合（ＮＯ）、処理は終了する。
【００５９】
ステップＳ４６において、便器装置３０は、リモコン１０へ警告報知のための通知を行う。
ステップＳ４７において、リモコン１０は、受信した通知に応じて、アラーム音声等により、充電器２０からの取り外しを促す警告出力を行う。
ステップＳ４８において、便器装置３０は、アラーム音声等により、充電器２０からの取り外しを促す警告出力を行う。
【００６０】
本実施形態によれば、トイレシステム１は、利用者の着座又は脱座の状態と、リモコン１０の充電状態すなわち充電器２０への着脱状態とに基づいて、対応する制御を行う。これにより、着脱式のリモコン１０を使用した場合のトイレシステム１の利便性が向上する。
より具体的には、利用者が着座した際に、リモコン１０が充電器２０に装着されたままであればリモコン１０又は便器装置３０から警告が出力される。これにより、トイレシステム１は、トイレが使用されると判定すると即座に、リモコン１０の取り忘れを利用者に気付かせ、リモコン１０が使用できない事態を防ぐことができる。
なお、警告は、リモコン１０及び便器装置３０の双方から出力されてもよいし、リモコン１０又は便器装置３０のいずれか一方のみから出力されてもよい。
【００６１】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００６２】
第１〜第５実施形態における制御は、それぞれ単独で実装されてもよいし、複数の制御が組み合わされてもよい。
例えば、第１実施形態の処理と第２実施形態の処理とは連続して実施されてもよい。また、第２実施形態の処理と第３実施形態の処理とは連続して実施されてもよい。
【００６３】
第１〜第３実施形態は、充電器２０がトイレルームの横壁等、利用者が着座中にリモコン１０を操作することが容易な位置に設置されている場合に有効な形態である。また、第４〜第５実施形態は、充電器２０がトイレルームの後壁等、利用者が着座中にリモコン１０を操作することが難しい位置に設置されている場合に有効な形態である。
【００６４】
＜変形例Ａ＞
図８は、前述の実施形態の変形例であるトイレシステム１ａの機能構成を示すブロック図である。
【００６５】
トイレシステム１ａの便器装置３０ａは、使用状態判定部３２により判定された利用者の状態の種類及び充電状態判定部１１の判定結果と、制御の内容との対応付けが規定された制御モードを、複数のモードから選択的に切り替える切替部３４を備える。これら複数のモードを選択する入力をリモコン１０が受け付け、便器装置３０ａの切替部３４へ通知してもよい。
これにより、トイレシステム１ａは、第１〜第３実施形態の横壁仕様と、第４〜第５実施形態の後壁仕様とを適宜切り替えることができる。
【００６６】
＜変形例Ｂ＞
図９は、前述の実施形態の変形例であるトイレシステム１ｂの機能構成を示すブロック図である。
【００６７】
充電状態判定部１１ｂは、便器装置３０ｂに設けられ、充電器２０と有線で接続されている。これにより、充電状態判定部１１ｂは、リモコン１０の電源がオフの場合であっても、充電状態を充電器２０から取得できる。
【符号の説明】
【００６８】
１、１ａ、１ｂ  トイレシステム
１０  リモコン
１１、１１ｂ  充電状態判定部（第１判定部）
２０  充電器（保持具）
３０、３０ａ、３０ｂ  便器装置
３１  検知部
３２  使用状態判定部（第２判定部、第３判定部）
３３  制御部
３４  切替部
【図１】
0006649031.tif 000002
【図２】
0006649031.tif 000003
【図３】
0006649031.tif 000004
【図４】
0006649031.tif 000005
【図５】
0006649031.tif 000006
【図６】
0006649031.tif 000007
【図７】
0006649031.tif 000008
【図８】
0006649031.tif 000009
【図９】
0006649031.tif 000010